(57)【要約】【課題】  インキ追従性に優れ、かすれのない良好な筆跡を形成可能な出没式ボールペンに適したレフィルを提供する。【解決手段】  操作体を操作することにより、軸筒から筆記先端部を出没させるボールペンに収容されるボールペンレフィルであって、前記ボールペンレフィルは、内径が１．０〜２．０ｍｍのインキ収容管にボールを回転自在に抱持したボールペンチップを直接又は接続部材を介して装着し、前記インキ収容管内に、水性インキ組成物と、該インキ組成物後端にインキ逆流防止体組成物とを充填してなり、前記インキ逆流防止体組成物は剪断速度３８４ｓ−１における粘度が５０００〜２００００ｍＰａ・ｓであり、且つ、剪断速度３.８４ｓ−１における粘度と３８４ｓ−１における粘度比が１．５〜４．０である出没式ボールペンレフィル。【選択図】  なし【特許請求の範囲】
【請求項１】
操作体を操作することにより、軸筒から筆記先端部を出没させるボールペンに収容されるボールペンレフィルであって、前記ボールペンレフィルは、内径が１．０〜２．０ｍｍのインキ収容管にボールを回転自在に抱持したボールペンチップを直接又は接続部材を介して装着し、前記インキ収容管内に、水性インキ組成物と、該インキ組成物後端にインキ逆流防止体組成物とを充填してなり、前記インキ逆流防止体組成物は剪断速度３８４ｓ−１における粘度が５０００〜２００００ｍＰａ・ｓであり、且つ、剪断速度３.８４ｓ−１における粘度と３８４ｓ−１における粘度比が１．５〜４．０である出没式ボールペンレフィル。
【請求項２】
出没機構を備えた軸筒内に、請求項１記載の出没式ボールペンレフィルを収容した出没式ボールペン。
【請求項３】
軸筒内に複数の出没式ボールペンレフィルを収容して収容してなり、出没機構の作動によっていずれかのボールペンレフィルの筆記先端部が軸筒前端開口部から出没する請求項２記載の出没式ボールペン。
【発明の詳細な説明】
【技術分野】
【０００１】
本発明は、出没式ボールペンレフィル及びそれを収容した出没式ボールペンに関する。更に詳細には、軸筒の細い出没式ボールペンや複合タイプの出没式ボールペンに適した出没式ボールペン用レフィル及びそれを収容した出没式ボールペンに関する。
【背景技術】
【０００２】
従来より、水性インキ組成物とインキ逆流防止体組成物を充填したボールペンレフィルを軸筒内に収容し、操作体を操作することによって筆記先端部を軸筒から出没可能に構成した出没式ボールペンが開示されている（例えば、特許文献１参照）。
この種の出没式ボールペンは、軸筒を細くして携帯性を向上させたり、複数のレフィルを収容した出没式ボールペンの場合は、軸筒を細くして筆記感を向上させる試みがなされつつある。
前記した軸筒の細い出没式ボールペンを得るためには、収容されるレフィルも細くなり、レフィルを構成するインキ収容管も細くなる。その結果、インキ収容管の内径が小さくなるため、インキ収容量は減少する傾向にある。
前述した内径の小さいインキ収容管を用いた場合、筆記によるインキの消費に伴って追従するインキ逆流防止体組成物は、インキ収容管内での移動距離が大きくなる。特に、収容されるインキが水性インキの場合、特定筆記距離あたりのインキ消費量が油性インキと比較して多いため、インキ逆流防止体組成物の移動距離は大きい。
この種のインキ収容管を適用したレフィルに従来の太いレフィル（インキ収容管の内径が大きい）に用いられるインキ逆流防止体を適用すると、インキの逆流防止に適した設計のインキ逆流防止体であるため、インキの消費に伴なって追従する機能に乏しく、よって、インキの吐出性を損なって筆跡がかすれる傾向にある。
【特許文献１】特開平９−２２６２９４号公報
【発明の開示】
【発明が解決しようとする課題】
【０００３】
本発明は内径の小さいインキ収容管を用いた出没式ボールペンレフィルに充填されるインキ逆流防止体組成物の不具合を解消するものであって、インキ追従性に優れ、良好な筆跡を形成可能なインキ逆流防止体組成物を提供しようとするものである。
【課題を解決するための手段】
【０００４】
本発明は操作体を操作することにより、軸筒から筆記先端部を出没させるボールペンに収容されるボールペンレフィルであって、前記ボールペンレフィルは、内径が１．０〜２．０ｍｍのインキ収容管にボールを回転自在に抱持したボールペンチップを直接又は接続部材を介して装着し、前記インキ収容管内に、水性インキ組成物と、該インキ組成物後端にインキ逆流防止体組成物とを充填してなり、前記インキ逆流防止体組成物は剪断速度３８４ｓ−１における粘度が５０００〜２００００ｍＰａ・ｓであり、且つ、剪断速度３.８４ｓ−１における粘度と３８４ｓ−１における粘度比が１．５〜４．０である出没式ボールペンレフィルを要件とする。
更には、出没機構を備えた軸筒内に、前記出没式ボールペンレフィルを収容した出没式ボールペン、軸筒内に複数の出没式ボールペンレフィルを収容してなり、出没機構の作動によっていずれかのボールペンレフィルの筆記先端部が軸筒前端開口部から出没する出没式ボールペン等を要件とする。
【発明の効果】
【０００５】
本発明は、インキ追従性に優れ、かすれのない良好な筆跡を形成可能な出没式ボールペンレフィルに適したインキ逆流防止体組成物を提供できる。
【発明を実施するための最良の形態】
【０００６】
前記インキ逆流防止体組成物は不揮発性液体又は難揮発性液体に増粘剤を添加してなる。
前記インキ逆流防止体組成物の剪断速度３８４ｓ−１における粘度が５０００〜２００００ｍＰａ・ｓであり、且つ、剪断速度３.８４ｓ−１における粘度と３８４ｓ−１における粘度比（３.８４ｓ−１／３８４ｓ−１）が１．５〜４．０である。
剪断速度３８４ｓ−１における粘度が５０００ｍＰａ・ｓ未満では、耐衝撃性に乏しく、筆記先端部が上向きで衝撃が加わった際にインキ逆流防止体組成物が逆流するため、良好な筆記性能を維持でき難い。また、３８４ｓ−１における粘度が２００００ｍＰａ・ｓを超えると、耐衝撃性に優れるものの、筆記時のインキ追従性に乏しくなる。
剪断速度３.８４ｓ−１における粘度と３８４ｓ−１における粘度比が１．５未満では、筆記先端部が上向きで放置された際、インキ逆流防止体組成物が垂れ落ちてインキ逆流機能を発現でき難くなる。また、粘度比が４．０を超えると、インキ追従性に乏しくなるため、筆跡のかすれを生じ易くなる。
【０００７】
前記不揮発性液体又は難揮発性液体として具体的には、ワセリン、スピンドル油、ヒマシ油、オリーブ油、精製鉱油、流動パラフィン、ポリブテン、α−オレフィン、α−オレフィンのオリゴマーまたはコオリゴマー、ジメチルシリコーンオイル、メチルフェニルシリコーンオイル、アミノ変性シリコーンオイル、ポリエーテル変性シリコーンオイル、脂肪酸変性シリコーンオイル等があげられ、一種又は二種以上を併用することもできる。
【０００８】
前記増粘剤としては、表面を疎水処理したシリカ、表面をメチル化処理した微粒子シリカ、珪酸アルミニウム、膨潤性雲母、疎水処理を施したベントナイトやモンモリロナイトなどの粘土系増粘剤、ステアリン酸マグネシウム、ステアリン酸カルシウム、ステアリン酸アルミニウム、ステアリン酸亜鉛等の脂肪酸金属石鹸、トリベンジリデンソルビトール、脂肪酸アマイド、アマイド変性ポリエチレンワックス、水添ひまし油、脂肪酸デキストリン等のデキストリン系化合物、セルロース系化合物等が挙げられる。
【０００９】
前記水性インキ組成物としては、着色剤と、水と、必要により水溶性有機溶剤や各種添加剤を含む非剪断減粘性水性インキ組成物、着色剤と、水と、剪断減粘性付与剤と、必要により水溶性有機溶剤や各種添加剤を含む剪断減粘性水性インキ組成物が挙げられる。
【００１０】
前記着色剤は、水性媒体に溶解もしくは分散可能な染料及び顔料が全て使用可能であり、その具体例を以下に例示する。
酸性染料としては、
ニューコクシン（Ｃ．Ｉ．１６２５５）、
タートラジン（Ｃ．Ｉ．１９１４０）、
アシッドブルーブラック１０Ｂ（Ｃ．Ｉ．２０４７０）、
ギニアグリーン（Ｃ．Ｉ．４２０８５）、
ブリリアントブルーＦＣＦ（Ｃ．Ｉ．４２０９０）、
アシッドバイオレット６ＢＮ（Ｃ．Ｉ．４３５２５）、
ソルブルブルー（Ｃ．Ｉ．４２７５５）、
ナフタレングリーン（Ｃ．Ｉ．４４０２５）、
エオシン（Ｃ．Ｉ．４５３８０）、
フロキシン（Ｃ．Ｉ．４５４１０）、
エリスロシン（Ｃ．Ｉ．４５４３０）、
ニグロシン（Ｃ．Ｉ．５０４２０）、
アシッドフラビン（Ｃ．Ｉ．５６２０５）等が用いられる。
【００１１】
塩基性染料としては、
クリソイジン（Ｃ．Ｉ．１１２７０）、
メチルバイオレットＦＮ（Ｃ．Ｉ．４２５３５）、
クリスタルバイオレット（Ｃ．Ｉ．４２５５５）、
マラカイトグリーン（Ｃ．Ｉ．４２０００）、
ビクトリアブルーＦＢ（Ｃ．Ｉ．４４０４５）、
ローダミンＢ（Ｃ．Ｉ．４５１７０）、
アクリジンオレンジＮＳ（Ｃ．Ｉ．４６００５）、
メチレンブルーＢ（Ｃ．Ｉ．５２０１５）等が用いられる。
【００１２】
直接染料としては、
コンゴーレッド（Ｃ．Ｉ．２２１２０）、
ダイレクトスカイブルー５Ｂ（Ｃ．Ｉ．２４４００）、
バイオレットＢＢ（Ｃ．Ｉ．２７９０５）、
ダイレクトディープブラックＥＸ（Ｃ．Ｉ．３０２３５）、
カヤラスブラックＧコンク（Ｃ．Ｉ．３５２２５）、
ダイレクトファストブラックＧ（Ｃ．Ｉ．３５２５５）、
フタロシアニンブルー（Ｃ．Ｉ．７４１８０）等が用いられる。
【００１３】
前記顔料としては、カーボンブラック、群青などの無機顔料や銅フタロシアニンブルー、ベンジジンイエロー等の有機顔料の他、予め界面活性剤や樹脂を用いて微細に安定的に水媒体中に分散された水分散顔料製品等が用いられ、例えば、Ｃ．Ｉ．Ｐｉｇｍｅｎｔ  Ｂｌｕｅ  １５：３Ｂ〔品名：Ｓａｎｄｙｅ  Ｓｕｐｅｒ  Ｂｌｕｅ  ＧＬＬ、顔料分２４％、山陽色素株式会社製〕、
Ｃ．Ｉ．  Ｐｉｇｍｅｎｔ  Ｒｅｄ  １４６〔品名：Ｓａｎｄｙｅ  Ｓｕｐｅｒ  Ｐｉｎｋ  ＦＢＬ、顔料分２１．５％、山陽色素株式会社製〕、
Ｃ．Ｉ．Ｐｉｇｍｅｎｔ  Ｙｅｌｌｏｗ  ８１〔品名：ＴＣ  Ｙｅｌｌｏｗ  ＦＧ、顔料分約３０％、大日精化工業株式会社製〕、
Ｃ．Ｉ．Ｐｉｇｍｅｎｔ  Ｒｅｄ  ２２０／１６６〔品名：ＴＣ  Ｒｅｄ  ＦＧ、顔料分約３５％、大日精化工業株式会社製〕等を挙げることができる。
また、水溶性樹脂を用いた水分散顔料としては、
Ｃ．Ｉ．Ｐｉｇｍｅｎｔ  Ｂｌａｃｋ  ７〔商品名：ＷＡ  ｃｏｌｏｒ  Ｂｌａｃｋ  Ａ２５  、顔料分１５％、大日精化工業（株）製〕、
Ｃ．Ｉ．Ｐｉｇｍｅｎｔ  Ｇｒｅｅｎ  ７〔商品名：ＷＡ−Ｓ  ｃｏｌｏｒ  Ｇｒｅｅｎ、顔料分８％、大日精化工業（株）製〕、
Ｃ．Ｉ．Ｐｉｇｍｅｎｔ  Ｖｉｏｌｅｔ  ２３〔商品名：マイクロピグモ  ＷＭＶＴ−５、顔料分２０％、オリエント化学工業（株）製〕、
Ｃ．Ｉ．Ｐｉｇｍｅｎｔ  Ｙｅｌｌｏｗ  ８３〔商品名：エマコールＮＳイエロー４６１８、顔料分３０％、山陽色素（株）製〕が挙げられる。
【００１４】
蛍光顔料としては、各種蛍光染料を樹脂マトリックス中に固溶体化した合成樹脂微細粒子状の蛍光顔料が使用できる。その他、金属光沢顔料、蓄光性顔料、二酸化チタン、シリカ、炭酸カルシウム等の白色顔料、可逆熱変色性組成物を内包したカプセル顔料、香料や香料を内包したカプセル顔料等を例示できる。
前記金属光沢顔料としては、アルミニウムや真鍮等の金属粉、芯物質として天然雲母、合成雲母、ガラス片、アルミナ、透明性フィルム片の表面を酸化チタン等の金属酸化物で被覆したパール顔料、金属蒸着膜の片面又は両面に透明又は着色透明フィルムを設けた金属光沢フィルム片を細かく裁断したもの、透明性樹脂層を複数積層した虹彩性フィルムを細かく裁断したものを例示できる。
なお、前記アルミニウムや真鍮等の金属粉を用いる場合、前記金属粉の表面を透明性樹脂や着色透明性樹脂で被覆したものが好適に用いられ、インキ組成物中での安定性に優れる。
【００１５】
また、着色剤として顔料を用いた場合、必要に応じて顔料分散剤を添加できる。
前記顔料分散剤としてはアニオン、ノニオン等の界面活性剤、ポリアクリル酸、スチレンアクリル酸等のアニオン性高分子、ポリビニルピロリドン、ポリビニルアルコール等の非イオン性高分子等が用いられる。
【００１６】
前記水溶性有機溶剤としては、例えば、エタノール、プロパノール、ブタノール、グリセリン、ソルビトール、トリエタノールアミン、ジエタノールアミン、モノエタノールアミン、エチレングリコール、ジエチレングリコール、チオジエチレングリコール、ヘキシレングリコール、１，３−ブタンジオール、ネオプレングリコール、ポリエチレングリコール、プロピレングリコール、ブチレングリコール、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノエチルエーテル、プロピレングリコールモノブチルエーテル、エチレングリコールモノメチルエーテルアセテート、スルフォラン、２−ピロリドン、Ｎ−メチル−２−ピロリドン等が挙げられる。
前記水溶性有機溶剤は１種又は２種以上を併用することもできる。
【００１７】
前記剪断減粘性付与剤としては、キサンタンガム、ウェランガム、構成単糖がグルコースとガラクトースの有機酸修飾ヘテロ多糖体であるサクシノグリカン（平均分子量約１００乃至８００万）、グアーガム、ローカストビーンガム及びその誘導体、ヒドロキシエチルセルロース、アルギン酸アルキルエステル類、メタクリル酸のアルキルエステルを主成分とする分子量１０万〜１５万の重合体、グルコマンナン、寒天やカラゲニン等の海藻より抽出されるゲル化能を有する増粘多糖類、ベンジリデンソルビトール及びベンジリデンキシリトール又はこれらの誘導体、架橋性アクリル酸重合体、無機質微粒子、ポリグリセリン脂肪酸エステル、ポリオキシエチレンソルビタン脂肪酸エステル、ポリエチレングリコール脂肪酸エステル、ポリオキシエチレンヒマシ油、ポリオキシエチレンラノリン・ラノリンアルコール・ミツロウ誘導体、ポリオキシエチレンアルキルエーテル、ポリオキシプロピレンアルキルエーテル、ポリオキシエチレンアルキルフェニルエーテル、脂肪酸アミド等のＨＬＢ値が８〜１２のノニオン系界面活性剤、ジアルキル又はジアルケニルスルホコハク酸の塩類等を例示でき、単独或いは混合して使用することができる。
更に、Ｎ−アルキル−２−ピロリドンとアニオン系界面活性剤の混合物、ポリビニルアルコールとアクリル系樹脂の混合物を用いることもできる。
【００１８】
なお、前記剪断減粘性付与剤と共に、増粘抑制剤を添加するとインキ中の水が蒸発した際のインキ粘度の上昇を抑制することができる。
前記増粘抑制剤としては、Ｎ−エチル−２−ピロリドン等のＮ−アルキル−２−ピロリドン、Ｎ−ビニル−２−ピロリドン、Ｎ−ビニル−２−ピロリドンのオリゴマー、Ｎ−シクロヘキシル−２−ピロリドン、Ｎ−メチル−２−ピペリドン等のＮ−アルキル−２−ピペリドン、Ｎ−ビニル−２−ピペリドン、Ｎ−ビニル−２−ピペリドンのオリゴマー、Ｎ−シクロヘキシル−２−ピペリドン、ε−カプロラクタム、Ｎ−ビニル−ε−カプロラクタム、Ｎ−ビニル−ε−カプロラクタムのオリゴマー、Ｎ−シクロヘキシル−ε−カプロラクタム、ポリエチレングリコール、ポリプロピレングリコール、ポリエチレングリコール・ポリプロピレングリコールブロックポリマー、ポリプロピレングリコールモノエーテル、ポリオキシプロピル化グリセリン、ポリオキシプロピル化ソルビトール、ポリビニルアルコール、ポリビニルピロリドン、カルボキシメチルセルロースナトリウム、ヒドロキシエチルセルロース、ヒドロキシプロピルセルロース等のセルロース系高分子化合物、ポリエチレンオキサイド、ポリエチレンオキサイド・ポリプロピレンオキサイド共重合体等のポリアルキレンオキサイド基を有する高分子化合物、ポリオキシエチレン基を有する界面活性剤が挙げられる。
【００１９】
前記成分以外に、アルキッド樹脂、アクリル樹脂、スチレンマレイン酸共重合物、セルロース誘導体、デキストリン、λ−カラギーナン等の水溶性高分子を１種又は２種以上添加することができる。
その他、必要に応じてｐＨ調整剤、防錆剤、防腐剤或いは防黴剤、潤滑剤、湿潤剤を添加することができる。
前記ｐＨ調整剤としては、炭酸ナトリウム、リン酸ナトリウム、水酸化ナトリウム、酢酸ソーダ等の無機塩類、トリエタノールアミンやジエタノールアミン等の水溶性のアミン化合物等の有機塩基性化合物等が挙げられる。
前記防錆剤としては、ベンゾトリアゾール及びその誘導体、トリルトリアゾール、ジシクロヘキシルアンモニウムナイトライト、ジイソプロピルアンモニウムナイトライト、チオ硫酸ナトリウム、エチレンジアミン四酢酸塩、サポニン、ジアルキルチオ尿素等が挙げられる。
前記防腐剤或いは防黴剤としては、石炭酸、１、２−ベンズイソチアゾリン−３−オンのナトリウム塩、安息香酸ナトリウム、デヒドロ酢酸ナトリウム、ソルビン酸カリウム、パラオキシ安息香酸プロピル、２，３，５，６−テトラクロロ−４−（メチルスルフォニル）ピリジン等が挙げられる。
前記潤滑剤としては、金属石鹸、ポリアルキレングリコール脂肪酸エステル、エチレンオキサイド付加型カチオン活性剤、リン酸エステル系活性剤、チオカルバミン酸塩、ジメチルジチオカルバミン酸塩等が挙げられる。
前記湿潤剤としては、尿素、ノニオン系界面活性剤、ソルビット、マンニット、ショ糖、ぶどう糖、還元デンプン加水分解物、ピロリン酸ナトリウム等が挙げられる。
その他、溶剤の浸透性を向上させるフッ素系界面活性剤やノニオン、アニオン、カチオン系界面活性剤、ジメチルポリシロキサン等の消泡剤を添加することもできる。
前記インキ組成物をインキ収容管又は軸筒内に直接内蔵し、且つ、インキ組成物後端面にインキ逆流防止体を配設するタイプのボールペンに用いる系においては、インキ中に気体が混入していると、経時により気体が集まって気泡が発生し、筆記時のインキ出に悪影響を与えると共に、筆記先端部に気泡が存在すると筆記不能になる虞れがあるため、アスコルビン酸、アスコルビン酸誘導体、エリソルビン酸、エルソルビン酸誘導体、α−トコフェロール、カテキン、カテキン誘導体、合成ポリフェノール、コウジ酸、アルキルヒドロキシルアミン、オキシム誘導体、α−グルコシルルチン、ホスホン酸塩、ホスフィン酸塩、亜硫酸塩、スルホキシル酸塩、亜ジチオン酸塩、チオ硫酸塩、二酸化チオ尿素、ホルムアミジンスルフィン酸、グルタチオン等を添加して化学的に気泡を除去することができる。
【００２０】
前記インキ逆流防止体組成物及び水性インキ組成物は、ボールペンチップを直接又は接続部材を介して装着したインキ収容管に充填される。
ボールペンチップの構造は、汎用の機構が有効であり、金属製のパイプの先端近傍を外面より内方に押圧変形させて形成したボール抱持部にボールを抱持する機構、金属材料のドリル等による切削加工により、チップ部を形成して、ボール抱持部にボールを抱持する機構、バネ体によりボールを前方に付勢させた機構、或いは、金属又はプラスチック製チップ内部に樹脂製のボール受け座を設けた機構を例示できる。
前記ボールは、超硬合金、ステンレス鋼、ルビー、セラミック、樹脂、ゴム等の０．１〜３．０ｍｍ径程度のものが適用できるが、好ましくは０．３〜１．０ｍｍ、より好ましくは０．３〜０．７ｍｍ、より好ましくは０．３〜０．５ｍｍのものが用いられる。
前記インキ組成物を収容するインキ収容管は、例えば、ポリエチレン、ポリプロピレン、ポリエチレンテレフタレート、ナイロン等の熱可塑性樹脂からなる成形体や金属が用いられるが、好ましくは透明、着色透明、或いは半透明の樹脂成形体を用いることにより、インキ色やインキ残量等を確認できる。
また、前記のようにして構成される出没式ボールペンレフィルを収容する出没式ボールペンの構造、形状は特に限定されるものではなく、ボールペンレフィルに設けられた筆記先端部が外気に晒された状態で軸筒内に収納されており、出没機構の作動によって軸筒開口部から筆記先端部が突出する構造であれば全て用いることができる。
出没機構の操作方法としては、例えば、ノック式、回転式、スライド式等が挙げられる。
前記ノック式は、軸筒後端部や軸筒側面にノック部を有し、該ノック部の押圧により、ボールペンチップを軸筒前端開口部から出没させる構成、或いは、軸筒に設けたクリップ部を押圧にすることにより、ボールペンチップを軸筒前端開口部から出没させる構成を例示できる。
前記回転式は、軸筒後部に回転部を有し、該回転部を回すことによりボールペンチップを軸筒前端開口部から出没させる構成を例示できる。
前記スライド式は、軸筒側面にスライド部を有し、該スライドを操作することによりボールペンチップを軸筒前端開口部から出没させる構成、或いは、軸筒に設けたクリップ部をスライドさせることにより、ボールペンチップを軸筒前端開口部から出没させる構成を例示できる。
前記出没式ボールペンは軸筒内に複数のボールペンレフィルを収容してなり、出没機構の作動によっていずれかのボールペンレフィルの筆記先端部が軸筒前端開口部から出没する複合タイプの出没式ボールペンであってもよい。
なお、前記ボールペンレフィルを構成するインキ収容管や軸筒は樹脂製であってもよいし、金属製であってもよい。
前記出没式のボールペンは軸筒内に複数のボールペンレフィルを収容してなる複合式のボールペンであってもよい。
なお、前記ボールペンレフィルを構成するインキ収容管や軸筒は樹脂製であってもよいし、金属製であってもよいが、透明、着色透明、或いは半透明の樹脂製軸筒が好適である。
なお、前記複合タイプの出没式ボールペンに収容されるボールペンレフィルとしては、０．５ｍｍ未満、好ましくは０．４ｍｍ未満、より好ましくは０．３ｍｍ未満のボールを抱持したボールペンチップを備えたボールレフィルが好適である。
前記複合タイプの出没式ボールペンにおいて、軸筒の直径は１２．５ｍｍ以下、好ましくは１１．５ｍｍ以下、より好ましくは１０．５ｍｍ以下であることにより、手帳やペンケースへの収容性に優れる。
【実施例】
【００２１】
以下に出没式ボールペンレフィルと、それを収容した出没式ボールペンの実施例を説明するが、本発明はこれらの実施例に限定されるものではない。
【００２２】
実施例及び比較例に使用されるインキ逆流防止体組成物の配合を以下の表に示す。表中の数字は重量部を表わす。
インキ逆流防止体組成物は、ミネラルスピリットと、脂肪酸アマイドを環流冷却器を備えたフラスコ中に投入し、１２０℃で均一になるまで攪拌した後、室温で放冷して得られる脂肪酸アマイドペーストを、ポリブテン中に投入し、予備攪拌をした後、三本ロール処理を行なって得られる。
【００２３】
【表１】
2010105180.tif 000002
【００２４】
表中の原料を注番号に従って説明する。
（１）出光ポリブテン１５Ｈ〔出光興産（株）製、液状ポリブテン、平均分子量：５４０、粘度５５０ｃＳｔ（４０℃）〕
（２）ポリビス３ＳＨ〔日本油脂（株）製、液状ポリブテン、平均分子量：７２０、粘度２１００ｃＳｔ（４０℃）〕
（３）ポリビス５ＳＨ〔日本油脂（株）製、液状ポリブテン、平均分子量：７８０、粘度３２００ｃＳｔ（４０℃）〕
（４）増粘剤〔楠本化成（株）製、商品名：ディスパロン６８５０−２０Ｘ〕
【００２５】
出没式ボールペンレフィルの作製
０．４ｍｍ径の超硬合金製ボールを備えたボールペンチップを先端に嵌着した、内径１．７ｍｍのインキ収容管に、黒色の剪断減粘性水性インキ組成物をそれぞれ充填し、インキ後端部に実施例及び比較例のインキ逆流防止体組成物をそれぞれ充填して出没式ボールペンレフィルを得た。
【００２６】
出没式ボールペンの作製
前記出没式ボールペンレフィルを軸筒内に組み込み、出没式ボールペンを得た。
なお、前記出没式ボールペンは、ボールペンレフィルに設けられた筆記先端部が外気に晒された状態で軸筒内に収納されており、軸筒後端部に設けられた出没機構（ノック機構）の作動によって軸筒開口部から筆記先端部が突出する構造である。
【００２７】
耐衝撃性試験
前記ボールペンを、正立状態のまま４フィートの高さから落下し、インキ逆流防止体の状態を目視で観察した。
追従性試験
前記試料ボールペンを筆記荷重１００ｇ、筆記速度１０ｍ／分の条件で筆記試験を行なった。
【００２８】
前記各インキ逆流防止体組成物の剪断速度３８４ｓ−１における粘度（ｍＰａ・ｓ）、剪断速度３.８４ｓ−１における粘度，粘度比（３.８４ｓ−１／３８４ｓ−１）、試験結果を以下の表に示す。
インキ逆流防止体の粘度は、２０℃でレオメーター〔Ｐａａｒ  Ｐｈｙｓｉｃａ社製、ＤＳＲ４０００、２°のコーンプレート（直径２５ｍｍ）使用〕を用いて測定した。
尚、各試験における評価基準は以下の通りである。
耐衝撃性試験
○：インキ逆流防止体の状態に変化が認められない。
×：インキ逆流防止体の形状が崩れ、インキが後方に漏出している。
追従性試験
○：良好に筆記できる。
×：筆記線にカスレが発生している。
【００２９】
【表２】
2010105180.tif 000003
【００３０】
前記実施例１乃至３のインキ逆流防止体組成物をそれぞれ充填した出没式ボールペンレフィルを軸筒（直径１０ｍｍ）内に組み込み、出没機構の作動によっていずれかのボールペンレフィルの筆記先端部が軸筒前端開口部から出没する出没式ボールペン（複合式ボールペン）を作製した。
前記出没式ボールペンを用いて耐衝撃性試験を行なってもインキ逆流防止体の状態に変化は認められず、追従性試験を行なっても良好に筆記することができた。